(57)【要約】掻き取り性能と拭き取り性能とのバランス設定の自由度を高めることのできるブラシ及び回転ブラシを提供する。回転ブラシのブラシ（３０）は、経糸（３２）と緯糸（３３）とを織って形成された基布（３１）と、基布（３１）に織り込まれて基布（３１）の外面上に立設されたパイル糸（４１ａ，４１ｂ，４２ａ，４２ｂ）からなる複数のブラシ糸（５１，５２）を有するブラシ部（３４）とを備えている。ブラシ部（３４）には、ブラシ糸（５１，５２）の長さが互いに異なる２種類のパイル糸（４１ａ，４１ｂ，４２ａ，４２ｂ）が経糸（３２）の延びる方向である経糸方向（Ｘ）において隣接して設けられている。
2020090001.tif 000002
【特許請求の範囲】
【請求項１】
経糸と緯糸とを織って形成された基布と、  前記基布に織り込まれて前記基布の外面上に立設されたパイルからなる複数のブラシ糸を有するブラシ部と、を備え、  前記ブラシ部には、長さ、太さ及び密度の少なくとも１つが互いに異なる複数種類の前記ブラシ糸が前記経糸の延びる方向において隣接して設けられている、  ブラシ。
【請求項２】
長さ、太さ及び密度の少なくとも１つが互いに異なる複数種類の前記ブラシ糸が前記緯糸の延びる方向において隣接して設けられている、  請求項１に記載のブラシ。
【請求項３】
前記ブラシ部は、第１ブラシ糸を含む第１部分と、長さ、太さ及び密度の少なくとも１つが前記第１ブラシ糸とは異なる第２ブラシ糸を含む第２部分とを有し、  前記第２部分は、前記経糸の延びる方向の前記第１部分の両側に隣接して設けられている、  請求項１または請求項２に記載のブラシ。
【請求項４】
前記ブラシ部は、第１ブラシ糸を含む第１部分と、長さ、太さ及び密度の少なくとも１つが前記第１ブラシ糸とは異なる第２ブラシ糸を含む第２部分とを有し、  前記第２部分は、前記緯糸の延びる方向の前記第１部分の両側に隣接して設けられている、  請求項２または請求項３に記載のブラシ。
【請求項５】
前記第１ブラシ糸は、前記第２ブラシ糸よりも短い、  請求項３または請求項４に記載のブラシ。
【請求項６】
前記基布及び前記パイルは、ジャカード織りにより形成されている、  請求項１〜請求項５のいずれか一項に記載のブラシ。
【請求項７】
回転体と、  前記回転体の外面に設けられた請求項１〜請求項５のいずれか一項に記載のブラシと、を備える、  回転ブラシ。
【発明の詳細な説明】
【技術分野】
【０００１】  本発明は、ブラシ及び回転ブラシに関する。
【背景技術】
【０００２】  特許文献１には、電気掃除機用の起毛布ローラーが開示されている。特許文献１の起毛布ローラーは、電気掃除機の吸込具本体内において回転可能に支持されたローラー芯と、この外周面長手螺施方向に交互に連続して装着されたカットパイル状の紡績布からなる短毛起毛布と長毛起毛布より構成されている。短毛起毛布は植毛先端部が掃除面と接触するように長さが設定されており、また長毛起毛布は植毛が掃除面により大きく湾曲し、植毛側面が掃除面と接触するように長さが設定されている。吸込具本体にてローラーを回転しながら掃除面を掃除したとき、短毛起毛布の植毛先端部が掃除面と摩擦し、植毛先端部がいわゆるタワシで擦るが如く作用する（以上、掻き取り性能）。続いて、長毛起毛布の植毛側面が掃除面と摩擦し、植毛側面部がいわゆる箒で掃き掃除するが如く作用する（以上、拭き取り性能）。これにより、従来の吸込具のように長毛起毛布のみをローラー外周部に設けたものに比べ、木床表面の小さな凹部に付着している塵埃を確実に除去でき、また畳上を掃除した場合に於いても、藺草内に付着している塵埃を確実に除去できる。
【先行技術文献】
【特許文献】
【０００３】
【特許文献１】特開平７−１６１８２号公報
【発明の概要】
【発明が解決しようとする課題】
【０００４】  しかしながら、特許文献１に記載の起毛布ローラーでは、掻き取り性能と拭き取り性能とを付与するために短毛起毛布及び長毛起毛布を個別に製造してローラー芯に組み付ける必要がある。そのため、短毛起毛布及び長毛起毛布の配置態様、すなわち拭き取り性能と掻き取り性能とのバランスを細かく設定することが難しい。【０００５】  本発明は、こうした実情に鑑みてなされたものであり、その目的は、掻き取り性能と拭き取り性能とのバランス設定の自由度を高めることのできるブラシ及び回転ブラシを提供することにある。
【課題を解決するための手段】
【０００６】  上記目的を達成するためのブラシは、経糸と緯糸とを織って形成された基布と、前記基布に織り込まれて前記基布の外面上に立設されたパイルからなる複数のブラシ糸を有するブラシ部と、を備え、前記ブラシ部には、長さ、太さ及び密度の少なくとも１つが互いに異なる複数種類の前記ブラシ糸が前記経糸の延びる方向において隣接して設けられている。【０００７】  一般的に、ブラシにおいては、ブラシ糸の長さが長いほど、ブラシ糸の太さが太いほど、ブラシ糸の密度が高いほど、ダストなどを掻き取る性能（以下、掻き取り性能）が向上する一方、細かいダストや水滴などを拭き取る性能（以下、拭き取り性能）は低下する。逆を言えば、ブラシ糸の長さが短いほど、ブラシ糸の太さが細いほど、ブラシ糸の密度が低いほど拭き取り性能は向上する。この両性能のバランスはダストや水滴などの各種のゴミを効率よく回収するために非常に重要である。【０００８】  上記構成によれば、長さ、太さ及び密度の少なくとも１つが互いに異なる複数種類のブラシ糸が経糸の延びる方向において隣接して設けられている。これにより、ブラシ糸の長さ、太さ及び密度の少なくとも１つが経糸の延びる方向において間隔をおくことなく変更される。したがって、掻き取り性能と拭き取り性能とのバランス設定の自由度を高めることができる。【０００９】  上記ブラシにおいて、長さ、太さ及び密度の少なくとも１つが互いに異なる複数種類の前記ブラシ糸が前記緯糸の延びる方向において隣接して設けられていることが好ましい。  上記構成によれば、緯糸の延びる方向においてブラシ糸の長さ、太さ及び密度の少なくとも１つが間隔をおくことなく変更される。したがって、掻き取り性能と拭き取り性能とのバランス設定の自由度を一層高めることができる。【００１０】  上記ブラシにおいて、前記ブラシ部は、第１ブラシ糸を含む第１部分と、長さ、太さ及び密度の少なくとも１つが前記第１ブラシ糸とは異なる第２ブラシ糸を含む第２部分とを有し、前記第２部分は、前記経糸の延びる方向の前記第１部分の両側に隣接して設けられていることが好ましい。【００１１】  上記構成によれば、経糸の延びる方向において第１部分の両側に第２部分が隣接して設けられている。このため、例えば経糸の延びる方向がブラシの摺動方向と一致するようにブラシを形成すれば、床面に対して第２部分、第１部分及び第２部分が順に連続的に摺動することとなる。これにより、床面上をブラシが摺動する際に、掻き取り性能及び拭き取り性能のバランスを連続的に異ならせることができる。【００１２】  上記ブラシにおいて、前記ブラシ部は、第１ブラシ糸を含む第１部分と、長さ、太さ及び密度の少なくとも１つが前記第１ブラシ糸とは異なる第２ブラシ糸を含む第２部分とを有し、前記第２部分は、前記緯糸の延びる方向の前記第１部分の両側に隣接して設けられていることが好ましい。【００１３】  上記構成によれば、緯糸の延びる方向において第１部分の両側に第２部分が隣接して設けられている。このため、例えば経糸の延びる方向がブラシの摺動方向と一致するようにブラシを形成すれば、緯糸の延びる方向に並んで設けられる第１部分及び第２部分が同時に床面を摺動することとなる。これにより、例えば第１部分を構成する第１ブラシ糸と第２部分を構成する第２ブラシ糸とでブラシ糸の長さ、太さ及び密度の少なくとも１つを異ならせることによってブラシを摺動させる際の抵抗を容易に調整することができる。【００１４】  上記ブラシにおいて、前記第１ブラシ糸は、前記第２ブラシ糸よりも短いことが好ましい。  上記構成によれば、第１部分と、第１部分を挟む両側の第２部分とによって凹部が形成されることとなる。第２部分によって掻き取られたダストなどのゴミが上記凹部に保持されやすくなり、凹部に集中的にゴミを保持することで容易にゴミを取り除くことが可能となる。【００１５】  上記ブラシにおいて、前記基布及び前記パイルは、ジャカード織りにより形成されていることが好ましい。  上記構成によれば、ブラシ部が、長さ、太さ及び密度の少なくとも１つが互いに異なる複数種類のブラシ糸が経糸の延びる方向において隣接して設けられているといった構成を容易に実現することができる。【００１６】  また、上記目的を達成するための回転ブラシは、回転体と、前記回転体の外面に設けられた上記ブラシと、を備える。  上記構成によれば、長さ、太さ及び密度の少なくとも１つが互いに異なる複数種類のブラシ糸が経糸の延びる方向において隣接して設けられている。これにより、経糸の延びる方向においてブラシ糸の長さ、太さ及び密度の少なくとも１つが、間隔をおくことなく変更される。したがって、掻き取り性能と拭き取り性能とのバランス設定の自由度を高めることができる。
【発明の効果】
【００１７】  本発明によれば、掻き取り性能と拭き取り性能とのバランス設定の自由度を高めることができる。
【図面の簡単な説明】
【００１８】
【図１】一実施形態における回転ブラシを備えた電気掃除機のヘッドの下面図。
【図２】同回転ブラシに設けられるブラシの構成を模式的に示す平面図。
【図３】（ａ）は図２の３ａ−３ａ線に沿った断面図、（ｂ）は、同実施形態のブラシの構成を模式的に示す断面図。
【図４】変更例のブラシの構成を模式的に示す平面図。
【図５】図４の５−５線に沿った断面図。
【図６】他の変更例の回転ブラシの構成を模式的に示す平面図。
【発明を実施するための形態】
【００１９】  以下、図１〜図３を参照して、一実施形態について説明する。  図１に示すように、本実施形態の回転ブラシ２０は、電気掃除機のヘッド１０を構成するケース１１内において回転可能に支持された回転体２１と、回転体２１の外面に取着されたブラシ３０とを備えている。回転体２１は、円筒状をなしており、例えば硬質樹脂材料や金属材料によって形成されている。なお、回転体２１に対するブラシ３０の取着方法は任意に選択することができる。例えばブラシ３０を接着剤や両面テープなどで回転体２１の外周面に貼り付けてもよい。また、回転体２１の周壁が網目状をなすものであれば、ブラシ３０を縫い付けてもよい。
【００２０】  図２及び図３（ａ）に示すように、ブラシ３０は、基布３１と、基布３１の外面上に設けられた複数のブラシ部３４とを備えている。  ブラシ部３４は、複数の第１ブラシ糸５１からなる第１部分３６と、第１ブラシ糸５１よりも長い複数の第２ブラシ糸５２からなり、ブラシ３０の摺動方向Ｘにおいて第１部分３６の両側に隣接して設けられた第２部分３７とを有している。なお、図２及び図３（ａ）においては、ブラシ糸５１，５２を模式的に示している。また、本実施形態では、ブラシ３０の摺動方向Ｘが図２の上下方向と一致している。また、回転ブラシ２０の軸線方向Ｙが図２の左右方向と一致している。
【００２１】  第１部分３６及び第２部分３７は、ブラシ３０の摺動方向Ｘに対して一定の幅（図２の上下方向の長さ）を有し、回転ブラシ２０の軸線方向Ｙに対してジグザグ状に延在している。したがって、第２部分３７は、回転ブラシ２０の軸線方向Ｙにおいて第１部分３６の両側に隣接して設けられている。
【００２２】  図３（ａ）に示すように、第１部分３６と、第１部分３６を挟む両側の第２部分３７とによって凹部３８が形成されている。なお、本実施形態では、第２部分３７の幅が、第１部分３６の幅よりも大きい。
【００２３】  図２及び図３（ａ）に示すように、ブラシ部３４は、ブラシ３０の摺動方向Ｘにおいて互いに間隔をおいて複数設けられている。ブラシ部３４同士の間には、ブラシ糸５１，５２の存在しない一定の隙間３５が形成されている。
【００２４】  図３（ｂ）に示すように、基布３１は、例えばポリエステルからなる経糸３２と緯糸３３とを織って形成された織布によって構成されている。基布３１を構成する経糸３２及び緯糸３３の材質はポリエステルに限らず、ポリエチレン、ポリアミド、ポリプロピレン、アクリル樹脂、ウレタン樹脂などの合成樹脂から適宜選択可能である。本実施形態では、経糸３２の延びる方向（以下、経糸方向Ｘ）がブラシ３０の摺動方向Ｘと一致している。また、緯糸の延びる方向（以下、緯糸方向Ｙ）が回転ブラシ２０の軸線方向Ｙと一致している。
【００２５】  第１ブラシ糸５１は、基布３１に織り込まれて基布３１の外面上に立設された第１パイル糸４１ａ，４１ｂからなる。  第２ブラシ糸５２は、基布３１に織り込まれて基布３１の外面上に立設された第２パイル糸４２ａ，４２ｂからなる。
【００２６】  これらパイル糸４１ａ，４１ｂ，４２ａ，４２ｂが本発明に係るパイルに相当する。  第１パイル糸４１ａ，４１ｂは、例えば熱収縮性ポリエステル繊維を複数本ずつ束ねたパイル糸の状態で基布３１上にパイル織りされることにより立設されている。熱収縮性ポリエステル繊維は、耐久性及び弾力性に優れている。
【００２７】  第２パイル糸４２ａ，４２ｂは、例えばポリアミド繊維を複数本数ずつ束ねたパイル糸の状態で基布３１上にパイル織りされることにより立設されている。ポリアミド繊維は、耐摩耗性及び復元性に優れているため、本用途に適している。
【００２８】  パイル織り後に熱を付与する処理（例えば後述するコーティング処理）が行われることにより、熱収縮性ポリエステル繊維からなる第１パイル糸４１ａ，４１ｂが熱収縮して第１ブラシ糸５１の高さが短くなる。本実施形態では、加熱により繊維長が約４０％収縮するポリエステル繊維を使用している。
【００２９】  なお、基布３１のパイル糸４１ａ，４１ｂ，４２ａ，４２ｂが立設される面を外面、その反対側の面を裏面ということがある。  基布３１及びパイル糸４１ａ，４１ｂ，４２ａ，４２ｂは、ジャカード織りにより形成されている。
【００３０】  基布３１にパイル糸４１ａ，４１ｂ，４２ａ，４２ｂを形成する場合には、まず、２つの基布３１Ａ，３１Ｂを互いの表面が対向するように配置する。なお、このときの基布３１Ａと基布３１Ｂとの間の距離に応じて、ブラシ糸５１，５２の長さが変化する。
【００３１】  続いて、第１パイル糸４１ａ，４１ｂを、基布３１Ａ，３１Ｂの経糸３２に対して交互に掛け渡すように織り込む。ここで、一方の第１パイル糸４１ａと他方の第１パイル糸４１ｂとは、経糸方向Ｘの所定の位置において互いに反対の基布３１Ａ，３１Ｂに織り込まれている。
【００３２】  また、第２パイル糸４２ａ，４２ｂを、基布３１Ａ，３１Ｂの経糸３２に対して交互に掛け渡すように織り込む。ここで、一方の第２パイル糸４２ａと他方の第２パイル糸４２ｂとは、経糸方向Ｘの所定の位置において互いに反対の基布３１Ａ，３１Ｂに織り込まれている。
【００３３】  そして、同図に示すように、２つの基布３１Ａ，３１Ｂに掛け渡されたパイル糸４１ａ，４１ｂ，４２ａ，４２ｂの中央部分を切断すると、パイル糸４１ａ，４１ｂ，４２ａ，４２ｂを構成する繊維が拡がることでパイルからなるブラシ糸５１，５２となる。すなわち、ブラシ部３４は、パイル糸４１ａ，４１ｂ，４２ａ，４２ｂを２つの基布３１Ａ，３１Ｂの緯糸３３に掛け渡した後にカットすることによって形成されるカットパイルである。これにより、２つのブラシ３０Ａ，３０Ｂが同時に形成される。
【００３４】  その後、基布３１Ａ，３１Ｂの裏面に、図示しない塗布装置を用いて、接着機能を有する合成樹脂材料が塗布される。本実施形態における合成樹脂材料としては、例えばアクリル樹脂エマルジョン、ウレタン樹脂エマルジョン、酢酸ビニル樹脂エマルジョンなどの水溶性の合成樹脂材料が好ましく、基布３１Ａ，３１Ｂを構成する複数の繊維との相性などを考慮して適宜選択される。上記合成樹脂材料が塗布された後、図示しない乾燥装置を通過させることで、合成樹脂材料を乾燥させて、コーティング層（図示略）を形成し、ブラシ糸５１，５２の根元と基布３１Ａ，３１Ｂとを接合する（以上、コーティング処理）。なお、コーティング処理時の乾燥工程により熱が加わることで第１ブラシ糸５１は繊維長が約４０％収縮し、第２ブラシ糸５２よりも短くなる。すなわち、第１ブラシ糸５１の高さは、第２ブラシ糸５２の高さよりも低くなる。
【００３５】  図３（ａ）及び図３（ｂ）に示すように、本実施形態では、第１ブラシ糸５１を立設させるために第１パイル糸４１ａ，４１ｂを２つの基布３１Ａ，３１Ｂに対して交互に織り込む第１部分３６の経糸方向Ｘの両側に、第２ブラシ糸５２を立設させるために第２パイル糸４２ａ，４２ｂを２つの基布３１Ａ，３１Ｂに対して交互に織り込む第２部分３７を隣接して設けている。
【００３６】  第１部分３６においては、一方の第２パイル糸４２ａを同図の下側の基布３１Ｂにのみ織り込むとともに、他方の第２パイル糸４２ｂを同図の上側の基布３１Ａにのみ織り込んでいる。
【００３７】  第２部分３７においては、一方の第１パイル糸４１ａを同図の上側の基布３１Ａにのみ織り込むとともに、他方の第１パイル糸４１ｂを同図の下側の基布３１Ｂにのみ織り込んでいる。
【００３８】  また、第１部分３６と第２部分３７との隙間３５においては、一方の第１パイル糸４１ａ及び第２パイル糸４２ａを同図の上側の基布３１Ａにのみ織り込むとともに、他方の第１パイル糸４１ｂ及び第２パイル糸４２ｂと同図の下側の基布３１Ｂにのみ織り込んでいる。
【００３９】  本実施形態のブラシ３０においては、このようなパイル糸４１ａ，４１ｂ，４２ａ，４２ｂが緯糸方向Ｙにおいて複数隣接して設けられている。  次に、本実施形態の作用効果について説明する。
【００４０】  （１）回転ブラシ２０のブラシ３０は、経糸３２と緯糸３３とを織って形成された基布３１と、基布３１に織り込まれて基布３１の外面上に立設されたパイル糸４１ａ，４１ｂ，４２ａ，４２ｂからなる複数のブラシ糸５１，５２を有するブラシ部３４とを備えている。ブラシ部３４には、長さが互いに異なる２種類のブラシ糸５１，５２からそれぞれなる第１部分３６及び第２部分３７が経糸３２の延びる方向である経糸方向Ｘにおいて隣接して設けられている。
【００４１】  一般に、ブラシでは、ブラシ糸の長さが長いほど、ブラシ糸の太さが太いほど、ブラシ糸の密度が高いほど、ダストなどを掻き取る性能（以下、掻き取り性能）が向上する一方、細かいダストや水滴などを拭き取る性能（以下、拭き取り性能）は低下する。逆に、ブラシ糸の長さが短いほど、ブラシ糸の太さが細いほど、ブラシ糸の密度が低いほど拭き取り性能は向上する。
【００４２】  上記構成によれば、長さが互いに異なる２種類のブラシ糸５１，５２が経糸方向Ｘにおいて隣接して設けられている。これにより、ブラシ糸５１，５２の長さが経糸方向Ｘにおいて間隔をおくことなく変更される。したがって、掻き取り性能と拭き取り性能とのバランス設定の自由度を高めることができる。
【００４３】  （２）長さが互いに異なる２種類のブラシ糸５１，５２が緯糸の延びる方向である緯糸方向Ｙにおいて隣接して設けられている。  上記構成によれば、緯糸方向Ｙにおいてブラシ糸５１，５２の長さが間隔をおくことなく変更される。したがって、掻き取り性能と拭き取り性能とのバランス設定の自由度を一層高めることができる。
【００４４】  （３）ブラシ部３４は、第１ブラシ糸５１を含む第１部分３６と、第１ブラシ糸５１よりも長い第２ブラシ糸５２を含む第２部分３７とを有している。第２部分３７は、経糸方向Ｘの第１部分３６の両側に隣接して設けられている。また、ブラシ３０の経糸方向Ｘがブラシ３０の摺動方向と一致している。
【００４５】  上記構成によれば、経糸方向Ｘ（ブラシ３０の摺動方向Ｘ）において第１部分３６の両側に第２部分３７が隣接して設けられている。このため、床面に対して第２部分３７、第１部分３６及び第２部分３７が順に連続的に摺動することとなる。これにより、床面上をブラシ３０が摺動する際に、掻き取り性能及び拭き取り性能のバランスを連続的に異ならせることができる。
【００４６】  （４）第２部分３７は、緯糸方向Ｙの第１部分３６の両側に隣接して設けられている。  上記構成によれば、緯糸方向Ｙにおいて第１部分３６の両側に隣接して第２部分３７が設けられている。このため、緯糸方向Ｙに並んで設けられる第１部分３６及び第２部分３７が同時に床面を摺動することとなる。これにより、第１部分３６と第２部分３７とでブラシ糸５１，５２の長さを異ならせることによってブラシ３０を摺動させる際の抵抗を容易に調整することができる。
【００４７】  （５）第１ブラシ糸５１は、第２ブラシ糸５２よりも短い。  上記構成によれば、第１部分３６と、第１部分３６を挟む両側の第２部分３７とによって凹部３８が形成されることとなる。したがって、第２ブラシ糸５２からなる第２部分３７によって掻き取られたダストなどが上記凹部３８に保持されやすくなり、凹部３８に集中的にダストなどのゴミを保持することで容易にゴミを取り除くことが可能となる。
【００４８】  （６）基布３１及びパイル糸４１ａ，４１ｂ，４２ａ，４２ｂは、ジャカード織りにより形成されている。  上記構成によれば、上記構成（１）〜（５）を容易に実現することができる。
【００４９】  上記実施形態は、例えば以下のように変更することもできる。上記実施形態及び以下の変更例は、技術的に矛盾しない範囲で互いに組み合わせて実施することができる。  ・ブラシ部３４同士の間の隙間３５の幅は上記実施形態にて例示した幅に限定されず、その幅を任意に変更することができる。また、こうした隙間３５を省略することもできる。上記隙間３５の幅を適宜調整することで回転ブラシ２０の摺動抵抗やゴミの掻き取り性能の調整が可能である。
【００５０】  ・ブラシ部３４を構成する第１部分３６及び第２部分３７は軸線方向Ｙ（緯糸方向Ｙ）においてジグザグ状に延在するものに限定されない。例えば、図４及び図５に示すように、第１部分３６を菱形状にするとともに、第２部分３７を、経糸方向Ｘ及び緯糸方向Ｙの双方において第１部分３６の両側に隣接して設けるようにしてもよい。この場合、図４に示すように、第１部分３６は、経糸方向Ｘ及び緯糸方向Ｙの双方において等距離間隔にて形成されている。
【００５１】  ・第１ブラシ糸５１の密度を第２ブラシ糸５２の密度よりも小さくすることもできる。また、第１ブラシ糸５１の太さを第２ブラシ糸５２の太さよりも細くすることもできる。この場合であっても、第２ブラシ糸５２からなる第２部分３７によって掻き取られたダストなどが第１ブラシ糸５１からなる第１部分３６に保持されやすくなることから、上記実施形態の効果（５）に準じた効果を奏することができる。
【００５２】  ・第１ブラシ糸５１を第２ブラシ糸５２よりも長くすることもできる。  ・上記実施形態及び変更例では、基布３１の経糸方向Ｘとブラシ３０の摺動方向Ｘとを一致させるとともに、緯糸方向Ｙと回転ブラシ２０の軸線方向Ｙとを一致させているが、本発明はこれに限定されない。例えば、基布３１の緯糸方向をブラシの摺動方向と一致させるとともに、経糸方向を回転ブラシの軸線方向と一致させることもできる。また、長方形状のブラシを回転体２１の外面に対して螺旋状に取着することもできる。
【００５３】  ・図６に示す回転ブラシ１２０のブラシ１３０には、第１ブラシ糸１５１からなる第１部分１３６、第２ブラシ糸１５２からなる第２部分１３７、及び第３ブラシ糸１５３からなる第３部分１３９を備えたブラシ部１３４が設けられている。第１ブラシ糸１５１、第２ブラシ糸１５２、及び第３ブラシ糸１５３の順に糸の太さ（繊維径）が小さく設定されている。この場合、第２部分１３７の端縁は、軸線方向Ｙの中央側ほど摺動方向Ｘの前側に位置するように傾斜して延在している。また、第１部分１３６は、第２部分１３７の摺動方向Ｘの後側にて隣接して設けられている。また、第３部分１３９は、第２部分１３７の摺動方向Ｘの前側にて隣接して設けられている。
【００５４】  ・ブラシ３０は、上記実施形態にて例示したように、回転体２１の外面に取着して回転ブラシ２０として使用してもよいし、板状の部分などに取着して回転しないブラシとして使用してもよい。なお、回転しないブラシは、例えば、空気調和機、空気清浄機、換気扇などのフィルタを清掃するための用途に用いることができる。
【００５５】  ・基布及びパイルは、ジャカード織りによって形成されるものに限定されない。ブラシ部におけるブラシ糸のパターンが単純であれば、ドビー織りによって形成されるものであってもよい。
【符号の説明】
【００５６】  １０…ヘッド、１１…ケース、２０，１２０…回転ブラシ、２１…回転体、３０，１３０…ブラシ、３１…基布、３２…経糸、３３…緯糸、３４，１３４…ブラシ部、３５…隙間、３６，１３６…第１部分、３７，１３７…第２部分、３８…凹部、４１ａ，４１ｂ…第１パイル（長い）、４２ａ，４２ｂ…第２パイル（短い）、５１，１５１…第１ブラシ糸、５２，１５２…第２ブラシ糸、１３９…第３部分、１５３…第３ブラシ糸。
【図１】
2020090001.tif 000003
【図２】
2020090001.tif 000004
【図３】
2020090001.tif 000005
【図４】
2020090001.tif 000006
【図５】
2020090001.tif 000007
【図６】
2020090001.tif 000008
【国際調査報告】
2020090001.tif 000009
2020090001.tif 000010
2020090001.tif 000011
2020090001.tif 000012